(57)【特許請求の範囲】
【請求項１】
モデムを高速モードに設定して画像を受信している間に、手順信号に使われる低速モードの信号と、上記高速モードにおけるデータ信号の品質との監視を並行して実行する監視手段と；
上記低速モードの信号が検出され、かつ、データ信号品質が、予め任意に定められている閾値以上に悪化した場合に、モデムを上記低速モードに設定し、手順信号を受信し、一方、上記低速モードの信号が検出され、かつ、データ信号の品質が、予め任意に定められている閾値以上に悪化していない場合に、モデムの設定を上記高速モードに維持して上記データ信号の受信を継続する受信手段と；
を有することを特徴とする通信装置。
【請求項２】
請求項１において、
上記受信手段は、上記低速モードの信号の検出と上記データ信号品質の悪化とが、予め任意に予め定められている規定時間以上継続した場合に、モデムを上記低速モードへ切り替えて手順信号を受信する手段であることを特徴とする通信装置。
【請求項３】
モデムを高速モードに設定して画像を受信している間に、手順信号に使われる低速モードの信号と、上記高速モードにおけるデータ信号の品質との監視を並行して実行する監視手順と；
上記低速モードの信号が検出され、しかも、データ信号品質が、予め任意に定められている閾値以上に悪化した場合に、モデムを上記低速モードに設定し、手順信号を受信し、一方、上記低速モードの信号が検出され、かつ、データ信号の品質が、予め任意に定められている閾値以上に悪化していない場合に、モデムの設定を上記高速モードに維持して上記データ信号の受信を継続する受信手順と；
をコンピュータに実行させるプログラム。
【請求項４】
請求項３において、
上記受信手順は、上記低速モードの信号の検出と上記データ信号品質の悪化とが、予め任意に予め定められている規定時間以上継続した場合に、モデムを上記低速モードへ切り替えて手順信号を受信する受信手順であることを特徴とするプログラム。
【発明の詳細な説明】
【０００１】
【発明の属する技術分野】
本発明は、ファクシミリ装置等の通信装置に関するものである。
【０００２】
【従来の技術】
勧告Ｔ．３０に従うファクシミリ装置で受信する場合、非ＥＣＭ手順においては、ＲＴＣパターンを検出し、ＥＣＭ手順においては、ＲＣＰフレームを検出することによって、１頁の画像の受信を完了し、後手順へ移行する。
【０００３】
しかし、画像後端のＲＴＣパターンやＲＣＰフレームの場所に、ノイズが印加された場合や、モデムが発散して正常に復調できない場合には、ＲＴＣパターン、ＲＣＰフレームを検出できないので、受信機が後手順へ移行することができず、送信機のみが後手順へ移行し、通信エラーが発生することがある。
【０００４】
この通信エラーを阻止するために、従来例では、Ｖ．１７等の高速モードで画像を受信している間にも、手順信号に使われる低速のＶ．２１ｃｈ２変調のキャリアを監視し、低速のＶ．２１ｃｈ２変調のキャリアが検出されると、送信機が後手順へ移行したと判断し、画像受信を終了し、低速モードへ切り替え、手順信号を受信する。ここで、ファクシミリの通信手順については、Ｖ．２１ｃｈ１を用いずに、Ｖ．２１ｃｈ２で手順の送受信を行うようになっている。
【０００５】
【発明が解決しようとする課題】
しかし、上記従来例では、Ｖ．１７等の画像伝送に使用する高速モードは、直交振幅変調（ＱＡＭ）を採用しているので、占有する周波数帯域が広く、その信号成分には、Ｖ．２１ｃｈ２変調のキャリアと同じ周波数成分も含まれている。
【０００６】
よって、Ｖ．２１ｃｈ２変調のキャリアを確実に検出することが困難であり、画像信号を正常に受信している最中に、Ｖ．２１ｃｈ２変調のキャリアを受信したと誤認し、低速モードへ移行し、かえって通信エラーが発生することがあるという問題がある。
【０００７】
本発明は、ノイズによるＲＴＣパターンやＲＣＰフレームを受信できない場合や、モデムが発散してデータを正常に復調できない場合に、手順信号を確実に検出し、低速モードへ移行することができ、通信エラーの可能性を大幅に減少させることができる通信装置およびプログラムを提供することを目的とするものである。
【０００８】
【課題を解決するための手段】
本発明は、モデムを高速モードに設定して画像を受信している間に、手順信号に使われる低速モードの信号と、上記高速モードにおけるデータ信号の品質との監視を並行して実行する監視手段と、上記低速モードの信号が検出され、かつ、データ信号品質が、予め任意に定められている閾値以上に悪化した場合に、モデムを上記低速モードに設定し、手順信号を受信し、一方、上記低速モードの信号が検出され、かつ、データ信号の品質が、予め任意に定められている閾値以上に悪化していない場合に、モデムの設定を上記高速モードに維持して上記データ信号の受信を継続する受信手段とを有することを特徴とする通信装置である。
また、本発明は、モデムを高速モードに設定して画像を受信している間に、手順信号に使われる低速モードの信号と、上記高速モードにおけるデータ信号の品質との監視を並行して実行する監視手順と、上記低速モードの信号が検出され、しかも、データ信号品質が、予め任意に定められている閾値以上に悪化した場合に、モデムを上記低速モードに設定し、手順信号を受信し、一方、上記低速モードの信号が検出され、かつ、データ信号の品質が、予め任意に定められている閾値以上に悪化していない場合に、モデムの設定を上記高速モードに維持して上記データ信号の受信を継続する受信手順とをコンピュータに実行させるプログラムである。
【０００９】
【発明の実施の形態および実施例】
図１は、本発明の一実施例であるファクシミリ装置（通信装置）ＦＳ１を示すブロック図である。
【００１０】
ファクシミリ装置ＦＳ１において、ＣＰＵ１１は、システム制御部であり、装置全体を制御する。
【００１１】
ＲＯＭ１７は、ＣＰＵ１１の制御プログラムを格納するものである。
【００１２】
つまり、ＲＯＭ１７に格納されている制御プログラムは、モデムを高速モードに設定して画像を受信している間に、手順信号に使われる低速モードの信号と、高速モードにおけるデータ信号の品質との監視を並行して実行する監視手段を実現する例である。
【００１３】
また、ＲＯＭ１７に格納されている制御プログラムは、低速モードの信号が検出され、しかも、データ信号品質が、予め任意に定められている閾値以上に悪化した場合に、モデムを低速モードに設定して手順信号を受信する受信手段を実現する例である。
【００１４】
ＲＡＭ１８は、プログラム制御変数等を格納し、オペレータが登録した各種登録データや画像データをも格納する。
【００１５】
操作部１２は、キーボード、タッチパネル等で構成され、オペレータが各種入力操作を行うものである。
【００１６】
表示部１３は、ＬＣＤ、ＬＥＤ等でオペレータに表示通知するものである。
【００１７】
モデム１４は、ファクシミリの送受信信号を変復調し、画像伝送に使用されるＶ．２７ｔｅｒ／Ｖ．２９／Ｖ．１７等の高速モードの変復調を行い、手順信号の伝送に使用されるＶ．２１ｃｈ２の変復調を行う。また、モデム１４は、上記実施において必要となる高速モードで、受信中のＶ．２１ｃｈ２変調のキャリアを検出する。さらに、モデム１４は、高速モードの受信中に、データ信号品質を表すＥＱＭ値を読み出す機能をも有する。
【００１８】
ＮＣＵ１５は、モデム１４を電話回線に接続するものであり、また、選択信号（ダイヤルパルス）の送出や呼び出し信号を検出する。
【００１９】
プリンタＩ／Ｆ部１６は、ファクシミリ装置ＦＳ１をプリンタとして使用する際に、外部のＰＣに接続する機能を有する。
【００２０】
記録部１９は、プリンタのエンジン部であり、画像情報を受け取り、記録紙に印字する機能を有する。
【００２１】
読取部２０は、原稿を読み取る機能を有する。
【００２２】
次に、上記実施例の具体的な動作について説明する。
【００２３】
図３は、上記実施例において、ＥＣＭで画像受信を行う場合の動作を示すフローチャートである。
【００２４】
画像受信時には、Ｓ１では、モデム１４を高速モードに設定し、ここでいう高速モードは、Ｖ．２７ｔｅｒ／Ｖ．２９／Ｖ．１７等の画像伝送に使用される変調方式である。
【００２５】
画像受信を開始すると、Ｓ２では、ＲＣＰフレームを受信したか否かをチェックし、ＲＣＰフレームを受信していれば、画像信号が終了であるので、ステップＳ６に進み、モデム１４を低速モードへ設定し、手順信号の受信に備える。
【００２６】
Ｓ２で、ＲＣＰを受信していないと判断すると、Ｓ３では、Ｖ．２１ｃｈ２変調のキャリアの有無をチェックし、キャリアが検出されなければ、ステップＳ２へ戻り、上記処理を繰り返す。
【００２７】
Ｓ３で、Ｖ．２１ｃｈ２のキャリアが検出されれば、Ｓ４では、モデムのデータ信号品質（ＥＱＭ）をチェックする。
【００２８】
Ｓ４で、モデムのデータ信号品質（ＥＱＭ）が閾値以下の正常値を示していると判断すると、Ｓ３におけるＶ．２１ｃｈ２のキャリア検出は誤認であると判断し、ステップＳ２へ戻り、処理を続行する。
【００２９】
Ｓ４で、データ信号品質（ＥＱＭ）が予め定める閾値以上に悪化していたと判断すると、Ｓ５では、規定時間が経過したか否かをチェックする。ここでは、Ｖ．２１ｃｈ２変調のキャリアと、データ信号品質（ＥＱＭ）の閾値以上の悪化とが発生してからの継続時間が、規定時間を超過したか否かをチェックする。
【００３０】
上記実施例では、上記規定時間が２５０ｍｓであり、Ｓ５では、規定時間が経過していなければ、ステップＳ３に戻り、Ｖ．２１ｃｈ２変調のキャリアとデータ信号品質（ＥＱＭ）との監視を続行する。
【００３１】
Ｓ５では、規定時間が経過していれば、手順信号が来ていると判断し、ステップＳ６へ進み、モデム１４を低速モードに設定し、手順信号の受信へ備える。
【００３２】
以上が、上記実施例におけるＥＣＭ受信の動作である。
【００３３】
次に、上記実施例において、非ＥＣＭで画像受信する場合の処理動作について説明する。
【００３４】
図４は、上記実施例において、非ＥＣＭで画像受信する場合の処理動作を示すフローチャートである。
【００３５】
非ＥＣＭにおいても、ＥＣＭの動作とほぼ同一であり、画像の後端検出が、ＲＣフレームからＲＴＣパターンに変わるだけである。
【００３６】
順に説明すると、非ＥＣＭの画像受信時には、Ｓ１１で、モデム１４を高速モードに設定し、画像受信を開始すると、Ｓ１２では、ＲＴＣパターンを受信したか否かをチェックする。ここで、ＲＴＣパターンを受信していれば、画像信号が終了であるので、Ｓ１６へ進み、モデム１４を低速モードへ設定し、手順信号の受信に備える。
【００３７】
Ｓ１２で、ＲＴＣパターンを受信していないと判断すれば、Ｓ１３では、Ｖ．２１ｃｈ２変調のキャリアの有無をチェックし、そのキャリアが検出されなければ、ステップＳ１２へ戻り、上記処理を繰り返す。
【００３８】
Ｓ１３で、Ｖ．２１ｃｈ２のキャリアを検出したと判断すると、Ｓ１４では、モデムのデータ信号品質（ＥＱＭ）をチェックし、モデムのデータ信号品質（ＥＱＭ）が閾値以下の正常値であれば、ステップＳ１３におけるＶ．２１ｃｈ２変調のキャリア検出が誤認であると判断し、ステップＳ１２へ戻り、処理を続行する。
【００３９】
Ｓ１４で、データ信号品質（ＥＱＭ）が、予め定める閾値以上に悪化していると判断すると、Ｓ１５では、規定時間が経過したか否かをチェックする。ここでは、Ｖ．２１ｃｈ２のキャリアの検出と、データ信号品質（ＥＱＭ）の閾値以上の悪化とが発生してからの継続時間が、規定時間を超過したか否かをチェックする。上記実施例において、上記規定時間は２５０ｍｓであり、Ｓ１５では、規定時間が経過していないと判断すると、ステップＳ１３に戻り、Ｖ．２１ｃｈ２変調のキャリアとデータ信号品質（ＥＱＭ）との監視を続行する。
【００４０】
Ｓ１５では、上記規定時間を経過していれば、手順信号が来ていると判断し、ステップＳ１６へ進み、モデム１４を低速モードに設定し、手順信号の受信へ備える。
【００４１】
以上が、上記実施例における非ＥＣＭ受信の動作である。
【００４２】
図２は、直交振幅変調において復調結果が理想点からどれだけずれているかを示す図である。
【００４３】
ここで、データ信号品質（ＥＱＭ：Ｅｙｅ  Ｑｕａｌｉｔｙ  Ｍｏｎｉｔｏｒ）とは、直交振幅変調において復調結果が理想点からどれだけずれているかを示すものであり、エラーベクトルの２乗値である。この値が大きい程、図２に示すように、データ信号品質が悪く、エラーの発生する可能性が高い。
【００４４】
上記データ信号品質の値は、正常に受信が行われている間は、十分に低く、モデムが発散状況に陥り、または受信機が待ち受けている変調方式以外の信号を受信すると、非常に大きい値を示す。
【００４５】
よって、受信機が、ＲＴＣパターンやＲＣＰフレームを受信できず、高速モード設定のままで、Ｖ．２１ｃｈ２変調のキャリアを受信したような場合に、非常に大きな値を示すので、Ｖ．２１ｃｈ２変調のキャリア検出と合わせて、手順信号が来たことを判定し、低速モードへ移行することができる。
【００４６】
一方、正常に高速信号を受信している間は、ＥＣＭの値が十分に低いので、たとえＶ．２１ｃｈ２変調のキャリアが誤検出されたとしても、低速モードへ移行し、エラーが発生することを回避できる。
【００４７】
さらに、ノイズ等によって瞬間的に、Ｖ２１ｃｈ２変調のキャリアの誤検出とデータ信号品質の悪化とが発生した場合に、低速モードへ移行しないようにするために、上記条件が予め定める時間だけ連続して発生したときにのみ、低速モードへ移行する。これによって、さらに実用性が高い。
【００４８】
上記実施例によれば、データ信号品質（ＥＱＭ）と、Ｖ．２１ｃｈ２のキャリア検出とを併用することによって、ノイズによるＲＴＣパターンやＲＣＰフレームを受信できない場合や、モデムが発散してデータを正常に復調できない場合に、手順信号を確実に検出し、低速モードへ移行することができ、通信エラーの可能性を大幅に減少させることができる。
【００４９】
また、上記実施例によれば、Ｖ．２１ｃｈ２の検出のみに頼る場合に比して、低速信号を誤検出し、正常に画像を受信しているにもかかわらず、低速へ移行し、エラーを誘発する可能性を回避することができる。
【００５０】
なお、上記実施例をプログラムの発明として把握することができる。つまり、上記実施例は、モデムを高速モードに設定して画像を受信している間に、手順信号に使われる低速モードの信号と、上記高速モードにおけるデータ信号の品質との監視を並行して実行する監視手順と、上記低速モードの信号が検出され、しかも、データ信号品質が、予め任意に定められている閾値以上に悪化した場合に、モデムを上記低速モードに設定し、手順信号を受信する受信手順とをコンピュータに実行させるプログラムの例である。
【００５１】
【発明の効果】
本発明によれば、データ信号品質（ＥＱＭ）と、Ｖ．２１ｃｈ２のキャリア検出とを併用することによって、ノイズによるＲＴＣパターンやＲＣＰフレームを受信できない場合や、モデムが発散してデータを正常に復調できない場合に、手順信号を確実に検出し、低速モードへ移行することができ、通信エラーの可能性を大幅に減少させることができるという効果を奏する。
【図面の簡単な説明】
【図１】本発明の一実施例であるファクシミリ装置ＦＳ１を示すブロック図である。
【図２】直交振幅変調において復調結果が理想点からどれだけずれているかを示す図である。
【図３】上記実施例において、ＥＣＭで画像受信を行う場合の動作を示すフローチャートである。
【図４】上記実施例において、非ＥＣＭで画像受信する場合の処理動作を示すフローチャートである。
【符号の説明】
ＦＳ１…ファクシミリ装置、
１１…ＣＰＵ、
１２…操作部、
１３…表示部、
１４…ＭＯＤＥＭ、
１５…ＮＣＵ、
１７…ＲＯＭ、
１９…記録部、
２０…読取部。
【図１】
0003689685.tif 000002
【図２】
0003689685.tif 000003
【図３】
0003689685.tif 000004
【図４】
0003689685.tif 000005